(57)【要約】【課題】ＩＥＥＥ１３９４ネットワークシステムは、多数の接続機器を自由に接続、配置でき、接続構成の変更も容易であるが、その反面、接続構成が非常に複雑になってしまう場合がある。ネットワーク中に同種の機器が多数含まれていた場合、その中から一つの機器を特定するのは難しく、さらにケーブルが複雑に接続されていた場合は、接続経路の確認も非常に困難となる。【解決手段】ＩＥＥＥ１３９４ネットワークシステム上のＩＥＥＥ１３９４機器３１〜３５全てにＬＥＤ４１〜４５を備え、モニタ機器１から探し出したいＩＥＥＥ１３９４機器までの経路上にある全てのＩＥＥＥ１３９４機器にＬＥＤを点灯させる指令を出し、点灯したＬＥＤを辿るだけで目的のＩＥＥＥ１３９４機器と経路を探し出すことができる。【選択図】図１
2006311045.tif 000002
【特許請求の範囲】
【請求項１】
ＩＥＥＥ１３９４ネットワークに接続する通信制御部と、通信データおよびControl Status Registersの内容を記憶する記憶部と、機器の動作状態を表示する表示部と、前記通信制御部からの受信データの処理や機器の制御を行う制御部から構成される複数のＩＥＥＥ１３９４機器と、前記ＩＥＥＥ１３９４機器の一覧を持ち前記一覧から選択されたＩＥＥＥ１３９４機器の状態を表示するモニタ機器とが接続されたＩＥＥＥ１３９４ネットワークシステムにおいて、
前記ＩＥＥＥ１３９４機器は、前記Control Status Registersに表示用ＬＥＤ操作用Registerを持つとともに前記表示部に前記表示用ＬＥＤを備え、
前記モニタ機器は、前記一覧から選択された前記ＩＥＥＥ１３９４機器までの経路上にある全ての前記ＩＥＥＥ１３９４機器の前記ＬＥＤを点灯するための指令を、前記ＬＥＤ操作用Registerに、前記ＩＥＥＥ１３９４ネットワークを介して書き込むことを特徴とするＩＥＥＥ１３９４ネットワークシステム。
【請求項２】
前記モニタ機器は、あらかじめ設定された時間が経過する毎に、前記一覧から選択された前記ＩＥＥＥ１３９４機器までの経路順で、前記一覧から選択された前記ＩＥＥＥ１３９４機器までの経路上にある全ての前記ＩＥＥＥ１３９４機器の前記ＬＥＤ操作用Registerに、前記ＬＥＤを点灯するための指令を、前記ＩＥＥＥ１３９４ネットワークを介して書き込むことを特徴とする請求項１に記載のＩＥＥＥ１３９４ネットワークシステム。
【請求項３】
前記モニタ機器は、前記あらかじめ設定された時間を前記モニタ機器の画面上で設定可能なことを特徴とする請求項２に記載のＩＥＥＥ１３９４ネットワークシステム。
【請求項４】
前記モニタ機器は、あらかじめ選択された前記モニタ機器の画面上のボタンがクリックされる毎に、前記一覧から選択された前記ＩＥＥＥ１３９４機器までの経路順で、前記一覧から選択された前記ＩＥＥＥ１３９４機器までの経路上にある全ての前記ＩＥＥＥ１３９４機器の前記ＬＥＤ操作用Registerに、前記ＬＥＤを点灯するための指令を前記ＩＥＥＥ１３９４ネットワークを介して書き込むことを特徴とする請求項１に記載のＩＥＥＥ１３９４ネットワークシステム。
【請求項５】
ＩＥＥＥ１３９４ネットワークに接続する通信制御部と、通信データおよびControl Status Registersの内容を記憶する記憶部と、機器の動作状態を表示する表示部と、前記通信制御部からの受信データの処理や機器の制御を行う制御部から構成される複数のＩＥＥＥ１３９４機器と、前記ＩＥＥＥ１３９４機器の一覧を持ち前記一覧から選択されたＩＥＥＥ１３９４機器の状態を表示するモニタ機器とが接続されたＩＥＥＥ１３９４ネットワークシステムにおいて、
前記ＩＥＥＥ１３９４機器は、前記Control Status RegistersにＬＥＤ操作用Registerを持つとともに前記表示部に表示用ＬＥＤを備え、
前記モニタ機器は、前記一覧から選択された前記ＩＥＥＥ１３９４機器のみの前記ＬＥＤを点灯するための指令を、前記ＬＥＤ操作用Registerに、前記ＩＥＥＥ１３９４ネットワークを介して書き込むことを特徴とするＩＥＥＥ１３９４ネットワークシステム。
【請求項６】
前記モニタ機器は、前記モニタ機器の画面上で、前記前記ＬＥＤを点灯するための指令を前記ＬＥＤ操作用Registerに、前記ＩＥＥＥ１３９４ネットワークを介して書き込む方法を選択する手段を有することを特徴とする請求項１、請求項２、請求項４又は請求項５に記載のＩＥＥＥ１３９４ネットワークシステム。
【発明の詳細な説明】
【技術分野】
【０００１】
本発明は、ＩＥＥＥ１３９４準拠のインタフェース装置を搭載した複数の機器で構成されるＩＥＥＥ１３９４ネットワークシステムに関する。
【背景技術】
【０００２】
図１１は従来のＩＥＥＥ１３９４ネットワークシステム構成例である。３はＩＥＥＥ１３９４機器、６はＩＥＥＥ１３９４ネットワークケーブルである。
ＩＥＥＥ１３９４準拠ネットワークシステムは、パソコンやＡＶ機器などで一般的な高速の汎用ネットワークであり、最大６３台まで接続が可能である。それぞれの機器は途中で分岐させて接続することができるため、接続構成の自由度が高い。また、接続するためのケーブルが細く取り回しが簡単であるため、各機器の配置構成の自由度も高い。
さらに、ＩＥＥＥ１３９４準拠のインターフェースを搭載した機器はプラグアンドプレイ機能を有している。複数のＩＥＥＥ１３９４機器で構成されるネットワークにおいて接続機器の活線挿抜が行われるとバスリセットが起こりネットワークが初期化され、バスリセットに時に各ＩＥＥＥ１３９４機器が発行する自己認識パケットにより、機器（ノード）を識別するためのノードＩＤが、全てのＩＥＥＥ１３９４機器に自動的に設定される。つまり、接続経路を変えたり、接続機器の数を変更しても、それぞれのＩＤをその度に設定する必要が無いため、接続構成の変更も容易に行うことができる。
【０００３】
【特許文献１】特開２００４−１４６８８７
【非特許文献１】IEEE Standard for a High Performance Serial Bus(IEEE Std 1394-1995)
【発明の開示】
【発明が解決しようとする課題】
【０００４】
ＩＥＥＥ１３９４ネットワークシステムは、多数の接続機器を自由に接続、配置でき、接続構成の変更も容易であるが、その反面、接続構成が非常に複雑になってしまう場合がある。ネットワーク中に同種のＩＥＥＥ１３９４機器が多数含まれていた場合、その中から一つのＩＥＥＥ１３９４機器を特定するのは難しく、さらにケーブルが複雑に接続されていた場合は、接続経路の確認も非常に困難となる。たとえばＦＡシステムに適用された場合、サーボ機器などの同じ機種がシステム内に多数配置され、ケーブルが複雑に束ねられていた場合、一つのサーボ機器を特定するのは困難である。
各ＩＥＥＥ１３９４機器を識別する情報として先述のノードＩＤがあるが、ノードＩＤはバスリセット毎に初期化されその度に変化するＩＤであるため、ノードＩＤから一つのＩＥＥＥ１３９４機器を特定することはできない。
【０００５】
多数の機器の中から一つの機器を特定する手段として、例えば無線システムであれば、ネットワークを構成する機器それぞれにＬＥＤなどの点灯素子を備えておき、同ネットワークの機器からその点灯素子を点灯する指令を送ることにより、機器を容易に見つけることができる（たとえば、特許文献１参照）。
しかしながら、ＩＥＥＥ１３９４ネットワークのような有線ネットワークの場合、ただ一つの機器の位置を特定しても、実際の使用現場において接続機器数が多くてそれらを接続するケーブルが錯綜したり束ねられていたりすると、その機器に至るまでの接続経路が分からないことが多々ある。
【０００６】
本発明は、このような問題点に鑑みてなされたものであり、ネットワーク上の一つの機器の接続経路を容易に特定することができるＩＥＥＥ１３９４ネットワークシステムを提供する。
【課題を解決するための手段】
【０００７】
請求項１に記載の発明は、ＩＥＥＥ１３９４ネットワークに接続する通信制御部と、通信データおよびControl Status Registersの内容を記憶する記憶部と、機器の動作状態を表示する表示部と、前記通信制御部からの受信データの処理や機器の制御を行う制御部から構成される複数のＩＥＥＥ１３９４機器と、前記ＩＥＥＥ１３９４機器の一覧を持ち前記一覧から選択されたＩＥＥＥ１３９４機器の状態を表示するモニタ機器とが接続されたＩＥＥＥ１３９４ネットワークシステムにおいて、
前記ＩＥＥＥ１３９４機器が、前記Control Status Registersに表示用ＬＥＤ操作用Registerを持つとともに前記表示部に前記表示用ＬＥＤを備え、前記モニタ機器が、前記一覧から選択された前記ＩＥＥＥ１３９４機器までの経路上にある全ての前記ＩＥＥＥ１３９４機器の前記ＬＥＤを点灯するための指令を、前記ＬＥＤ操作用Registerに、前記ＩＥＥＥ１３９４ネットワークを介して書き込むことを特徴とするものである。
【０００８】
請求項２に記載の発明は、請求項１において、前記モニタ機器が、あらかじめ設定された時間が経過する毎に、前記一覧から選択された前記ＩＥＥＥ１３９４機器までの経路順で、前記一覧から選択された前記ＩＥＥＥ１３９４機器までの経路上にある全ての前記ＩＥＥＥ１３９４機器の前記ＬＥＤ操作用Registerに、前記ＬＥＤを点灯するための指令を、前記ＩＥＥＥ１３９４ネットワークを介して書き込むことを特徴とするものである。
【０００９】
請求項３に記載の発明は、請求項２において、前記モニタ機器が、前記あらかじめ設定された時間を前記モニタ機器の画面上で設定可能なことを特徴とするものである。
【００１０】
請求項４に記載の発明は、請求項１において、前記モニタ機器が、あらかじめ選択された前記モニタ機器の画面上のボタンがクリックされる毎に、前記一覧から選択された前記ＩＥＥＥ１３９４機器までの経路順で、前記一覧から選択された前記ＩＥＥＥ１３９４機器までの経路上にある全ての前記ＩＥＥＥ１３９４機器の前記ＬＥＤ操作用Registerに、前記ＬＥＤを点灯するための指令を前記ＩＥＥＥ１３９４ネットワークを介して書き込むことを特徴とするものである。
【００１１】
請求項５に記載の発明は、ＩＥＥＥ１３９４ネットワークに接続する通信制御部と、通信データおよびControl Status Registersの内容を記憶する記憶部と、機器の動作状態を表示する表示部と、前記通信制御部からの受信データの処理や機器の制御を行う制御部から構成される複数のＩＥＥＥ１３９４機器と、前記ＩＥＥＥ１３９４機器の一覧を持ち前記一覧から選択されたＩＥＥＥ１３９４機器の状態を表示するモニタ機器とが接続されたＩＥＥＥ１３９４ネットワークシステムにおいて、
前記ＩＥＥＥ１３９４機器が、前記Control Status RegistersにＬＥＤ操作用Registerを持つとともに前記表示部に表示用ＬＥＤを備え、前記モニタ機器が、前記一覧から選択された前記ＩＥＥＥ１３９４機器のみの前記ＬＥＤを点灯するための指令を、前記ＬＥＤ操作用Registerに、前記ＩＥＥＥ１３９４ネットワークを介して書き込むことを特徴とするものである。
【００１２】
請求項６に記載の発明は、前記モニタ機器が、前記モニタ機器の画面上で、前記前記ＬＥＤを点灯するための指令を前記ＬＥＤ操作用Registerに、前記ＩＥＥＥ１３９４ネットワークを介して書き込む方法として、請求項１、請求項２、請求項４又は請求項５に記載の方法を選択する手段を有することを特徴とするものである。
【発明の効果】
【００１３】
請求項１に記載の発明によると、モニタ機器の画面上に表示されるソフトウェアから探し出したいＩＥＥＥ１３９４機器を選択すると、モニタ機器からそのＩＥＥＥ１３９４機器までの経路上にある全てのＩＥＥＥ１３９４機器においてＬＥＤが点灯するため、点灯したＬＥＤを辿るだけで目的のＩＥＥＥ１３９４機器を探し出すことができる。
【００１４】
請求項２に記載に発明によると、モニタ機器の画面上に表示されるソフトウェアから探し出したいＩＥＥＥ１３９４機器を選択すると、モニタ機器からそのＩＥＥＥ１３９４機器までの経路上にある全てのＩＥＥＥ１３９４機器においてＬＥＤが接続経路の順番に点灯するため、ＩＥＥＥ１３９４機器の配置やケーブルの接続が複雑な場合でも、接続経路上のＩＥＥＥ１３９４機器がどのような順番で接続されているかを容易に確認することができる。
【００１５】
請求項３に記載の発明によると、請求項２に記載の方法において接続されているＩＥＥＥ１３９４機器が多い場合においても、ＬＥＤを点灯する時間間隔を長くすることにより、容易に選択された機器までの経路を見つけることが可能となる。
【００１６】
請求項４に記載の発明によると、請求項１に記載の発明において、接続されているＩＥＥＥ１３９４機器が多くて接続ケーブルが複雑に絡んだり束ねられていても、選択されたＩＥＥＥ１３９４機器までの経路を、一つずつ確認しながら辿ることが可能になる。
【００１７】
請求項５に記載の発明によると、モニタ機器の画面上に表示されるソフトウェアから探し出したいＩＥＥＥ１３９４機器を選択すると、その選択したＩＥＥＥ１３９４機器のみにおいてＬＥＤが点灯するため、短時間で選択されたＩＥＥＥ１３９４機器の特定を行える。
【００１８】
請求項６に記載の発明によると、モニタ機器の画面上に表示されるソフトウェアから、接続されているＩＥＥＥ１３９４機器の個数や接続ケーブルの配線の状態等に応じて、選択されたＩＥＥＥ１３９４機器までの経路を探索する方法として、適切なものを選択することが可能になる。
【発明を実施するための最良の形態】
【００１９】
以下、本発明の方法の具体的実施例について、図に基づいて説明する。
【実施例１】
【００２０】
図１は、本発明の方法を実施するＩＥＥＥ１３９４ネットワークシステムの構成を示す図である。図において１はモニタ機器となっている。また２はモニタ機器１の画面上で表示されるモニタ用ソフトウェア、３１〜３５はＩＥＥＥ１３９４機器、４１〜４５はＬＥＤ、５１〜５５はＬＥＤ操作用Register、６はＩＥＥＥ１３９４ネットワークケーブルである。
モニタ機器１とＩＥＥＥ１３９４機器３１〜３５をＩＥＥＥ１３９４ネットワークケーブル６により接続すると、バスリセットが発生してＩＥＥＥ１３９４ネットワークの初期化が行われ、モニタ機器１とＩＥＥＥ１３９４機器３１〜３５は自己識別パケットを発行し、各ノードにノードＩＤが割当てられる。
この自己識別パケットには各ノードが持つ接続ポートの情報が含まれており、全ての自己識別パケットの情報を元に、各ノードの接続構成（トポロジ情報）を求めることができる。つまり、各ノードにおける、隣り合うノードのノードＩＤを求めることができる（非特許文献１、付属書Ｅ．３．４参照）。
【００２１】
図２はトポロジ情報をもとに作成したトポロジマップ例である。例えば、モニタ機器のノードＩＤが“５”である場合、モニタ機器に接続されているノードのノードＩＤは“４”であることがわかる。
このトポロジ情報を元にすれば、モニタ機器から接続されているノードを順番に検索していくことができるため、各ノードのモニタ機器からの経路情報と、各ノードのモニタ機器からのホップ数を求めることができる。なお、ホップ数とはある機器から他の機器へ到達するまでに経由する機器の数を意味する。
【００２２】
図３は、接続構成が図２のトポロジマップ例における、モニタ機器からの各ノードまでの経路を示す表である。経路情報は、モニタ機器からのホップ数順に登録する。たとえば、ノード２に関する経路情報を見た場合、経路となるノードは、ホップ数の少ない順から見て、ノードＩＤ“４”、“３”、“２”となる。この図３の情報をモニタ用ソフトウェア２に保持させておく。
【００２３】
図４は、モニタ用ソフトウェア２の画面構成図である。７はＩＥＥＥ１３９４機器３１〜３５の状態を表示する状態表示画面、８は経路表示実行ボタンである。この図４は、モニタ用ソフトウェアが各ＩＥＥＥ１３９４機器の動作状態をモニタしている場合のものである。
以下に、動作状態が“ＥＲＲＯＲ”と表示されているノードＩＤ“２”に対応するＩＥＥＥ１３９４機器を探し出す場合について説明する。
【００２４】
図６は実施例１におけるモニタ用ソフトウェアの内部処理フローチャート図である。
ノードＩＤ“２”と同じ行に表示されているＬＥＤ操作実行ボタン８をクリックすると、ステップＳ１０００において図３の経路情報を参照し、ステップＳ１００１において、経路ノード数ｎに３をセットする。また、経路ノードＩＤ変数r[0]〜r[n-1]に、経路となるノードＩＤをそれぞれセットする。例ではr[0]=4、r[1]=3、r[2]=2となる。
ステップＳ１００２において、経路ノード数ｎ（＝３）の回数だけループを実行し、ノードＩＤがr[0]〜r[2]のノードに対して、ＬＥＤ操作用Registerをアクセスするための指令を送信する。
この指令はＩＥＥＥ１３９４のアシンクロナス転送の仕様に沿って行う（非特許文献１参照）。アシンクロナス転送のうち「データ・ブロックの書き込みリクエスト」または「データ・クワドレット書き込みリクエスト」のフォーマットに従い、指令相手のＩＥＥＥ１３９４機器のノードＩＤ、ＬＥＤ操作用Registerのアドレスを指定してリクエストパケットを作成し、ＩＥＥＥ１３９４機器に送信する。
【００２５】
図１０は、ＩＥＥＥ１３９４機器内部の構成図である。３はＩＥＥＥ１３９４機器、９は記憶部、１０はControl Status Registers空間、４はＬＥＤ、５はＬＥＤ操作用Register、１１は制御部、１２は表示部、１３は通制御装置である。Control Status Registersとは、ＩＳＯ／ＩＥＣ−１３２１２のControl Status Registersに準拠した、制御およびステータス確認のためのRegistersのことである。
ノードＩＤ“４”，“３”，“２”のノードに対応するＩＥＥＥ１３９４機器（３１、３２、３３）はモニタ機器１からの指令を通信制御部１３によって受信し、制御部１１は受信した情報を解析する。解析の結果、ＬＥＤ操作用Register５にアクセスするための指令であると判断すると、制御部１１はＬＥＤ操作用Register５への書き込みであると判断すると、表示部１２のＬＥＤ４を一定時間点灯する。ＬＥＤ４の一定時間の点灯は、一定時間の点滅でも構わない。
なお、ＬＥＤの点灯時間はあらかじめ設定することが可能であるが、その方法については実施例４で述べる。
このような手段をとることにより、モニタ機器１のモニタ用ソフトウェア２で選択したノードに対応するＩＥＥＥ１３９４機器３３までの経路上にあるＩＥＥＥ１３９４機器（３１、３２、３３）のＬＥＤ（４１、４２、４３）を点灯させることができる。  
【実施例２】
【００２６】
図７は実施例２におけるモニタ用ソフトウェアの内部処理フローチャート図である。
実施例１と同じＩＥＥＥ１３９４ネットワークシステムにおいて、モニタ用ソフトウェア２の画面上にあるＬＥＤ操作実行ボタン８をクリックすると、ステップＳ２０００において図３の経路情報を参照し、ステップＳ２００１において経路ノード数ｎに３をセットする。また、経路ノードＩＤ変数r[0]〜r[n-1]に、経路となるノードＩＤをそれぞれセットする。例ではr[0]=4、r[1]=3、r[2]=2となる。図３の経路情報は、あらかじめホップ数の少ない順に登録されているため、r[0]〜r[n-1]は、ホップ数の少ない順に並んでいる。この例では、ノードＩＤがr[0]（＝４）の機器のホップ数は１、ノードＩＤがr[1]（＝３）の機器のホップ数は２、ノードＩＤがr[2]（＝２）の機器のホップ数は２である。
ステップＳ２００２において、経路ノード数ｎ（＝３）の回数だけループを実行し、ステップＳ２００５において一つのノードに対してＬＥＤ操作用Registerをアクセスするための指令を送信するたびに、ステップＳ２００４においてあらかじめ設定された時間停止する。この停止時間はあらかじめ設定することが可能であるが、その方法については実施例４で述べる。
【００２７】
ステップＳ２００５、Ｓ２００６を経路ノード数ｎ（＝３）の回数だけ繰り返すことにより、モニタ機器から接続経路順に、ノード４に対しては０秒後、ノード３に対しては１秒後、ノード２に対しては２秒後に、ＬＥＤ操作用Registerをアクセスするための指令が送信される。
このような手段をとることにより、モニタ機器１のモニタ用ソフトウェア２で選択したノードに対応するＩＥＥＥ１３９４機器３３までの経路上にあるＩＥＥＥ１３９４機器（３１、３２、３３）のＬＥＤ（４１、４２、４３）を、モニタ機器から接続順にＬＥＤを点灯させることができる。
なお、あらかじめ設定された時間を経過したら自動的に次のステップに進む代わりに、ＬＥＤ操作実行ボタン８がクリックされた場合に次のステップに進むことも可能である。例えば、実施例４で述べる停止時間の設定において“Ｆhex”が設定された場合に、ステップＳ２００４の処理を、ＬＥＤ操作実行ボタン８がクリックされるのを待つ処理に変更すること等が可能である。
【実施例３】
【００２８】
図８は実施例３におけるモニタ用ソフトウェアの内部処理フローチャート図である。
実施例１と同じＩＥＥＥ１３９４ネットワークシステムにおいて、モニタ用ソフトウェア２の画面上にあるＬＥＤ操作実行ボタン８をクリックすると、ステップＳ３０００において、モニタ用ソフトウェア２の画面上で選択したノード（ノードＩＤ＝２）のみに対して、ＬＥＤ操作用Registerをアクセスするための指令を送信する。
このような手段をとることにより、モニタ機器１のモニタ用ソフトウェア２で選択したノードに対応するＩＥＥＥ１３９４機器３３のＬＥＤ４３のみを点灯させることができる。
【実施例４】
【００２９】
図５は実施例４におけるモニタ用ソフトウェア画面図である。７は状態表示画面、８はＬＥＤ操作実行ボタン、１４はＬＥＤ表示方法選択ボタンである。
実施例１と同じＩＥＥＥ１３９４ネットワークシステムにおいて、モニタ用ソフトウェア２の画面下側にＬＥＤ表示方法選択ボタン１４を設ける。ＬＥＤ表示方法選択ボタン１４には、「経路ノード同時点灯」、「経路ノード接続順点灯」、「単独ノード点灯」のボタンがあり、どれか一つの方法を選択できるようになっている。
「経路ノード接続順点灯」の場合は停止時間を設定可能であるが、その値がある値、例えば、“Ｆhex”の場合は、実施例の図２のステップＳ２００４において、ＬＥＤ操作実行ボタン８のクリックを待ち受けることが可能となる。なお、停止時間の単位は任意に設定できるが、例えば、秒に設定することができる。
【００３０】
図９は実施例４におけるモニタ用ソフトウェア操作のフローチャートである。ステップＳ４０００において、ＬＥＤ表示方法選択ボタン１４のうち「経路ノード同時点灯」を選択した後、ステップＳ４００１においてモニタ用ソフトウェア２の画面上にあるＬＥＤ操作実行ボタン８をクリックすると、ステップＳ４００２が実行される。ステップＳ４００２は図６の実施例１におけるモニタ用ソフトウェアの内部処理フローチャートと同様である。
ステップＳ４０００において、ＬＥＤ表示方法選択ボタン１４のうち「経路ノード接続順点灯」を選択した後、ステップＳ４００１においてモニタ用ソフトウェア２の画面上にあるＬＥＤ操作実行ボタン８をクリックすると、ステップＳ４００３が実行される。ステップＳ４００３は図７の実施例２におけるモニタ用ソフトウェアの内部処理フローチャートと同様である。
ステップＳ４０００において、ＬＥＤ表示方法選択ボタン１４のうち「単独ノード点灯」を選択した後、ステップＳ４００１においてモニタ用ソフトウェア２の画面上にあるＬＥＤ操作実行ボタン８をクリックすると、ステップＳ４００４が実行される。ステップＳ４００４は図８の実施例３におけるモニタ用ソフトウェアの内部処理フローチャートと同様である。
このような手段をとることにより、実施例１〜３によるＬＥＤ表示方法を選択して実行することができる。
【産業上の利用可能性】
【００３１】
実施例１のＩＥＥＥ１３９４ネットワークシステムにおいて、モニタ用ソフトウェア２で表示される全てのノードに対してＬＥＤ操作実行ボタン８を実行すると、モニタ機器に認識されている全てのノードのＬＥＤを点灯させることができる。従って、もしこの操作を行ってもＬＥＤが点灯しないＩＥＥＥ１３９４機器が存在した場合、そのＩＥＥＥ１３９４機器は何らかの理由（ケーブルの断線、接続ポート回路の異常など）により、モニタ機器に認識されていないことがわかり、一目で異常を発見することができる。
【図面の簡単な説明】
【００３２】
【図１】本発明の第１〜４実施例を示すＩＥＥＥ１３９４ネットワークシステム構成図
【図２】本発明の第1〜４実施例のトポロジーマップ
【図３】本発明の第1〜４実施例におけるモニタ機器からの経路情報を示す表
【図４】本発明の第１〜３実施例におけるモニタ用ソフトウェア画面図
【図５】本発明の第４実施例におけるモニタ用ソフトウェア画面図
【図６】実施例１におけるモニタ用ソフトウェアの内部処理フローチャート図
【図７】実施例２におけるモニタ用ソフトウェアの内部処理フローチャート図
【図８】実施例３におけるモニタ用ソフトウェアの内部処理フローチャート図
【図９】実施例４におけるモニタ用ソフトウェア操作のフローチャート図
【図１０】ＩＥＥＥ１３９４機器内部の構成図
【図１１】従来のＩＥＥＥ１３９４ネットワークシステム構成例
【符号の説明】
【００３３】
１  モニタ機器
２  モニタ用ソフトウェア
３  ＩＥＥＥ１３９４機器
３１〜３５  ＩＥＥＥ１３９４機器
４  ＬＥＤ
４１〜４５  ＬＥＤ
５  ＬＥＤ操作用Register
５１〜５５  ＬＥＤ操作用Register
６  ＩＥＥＥ１３９４ネットワークケーブル
７  状態表示画面
８  ＬＥＤ操作実行ボタン
９  記憶部
１０  Control Status Registers空間
１１  制御部
１２  表示部
１３  通信制御部
１４  ＬＥＤ表示方法選択ボタン
１５  時間設定ボタン
【図１】
2006311045.tif 000003
【図２】
2006311045.tif 000004
【図３】
2006311045.tif 000005
【図４】
2006311045.tif 000006
【図５】
2006311045.tif 000007
【図６】
2006311045.tif 000008
【図７】
2006311045.tif 000009
【図８】
2006311045.tif 000010
【図９】
2006311045.tif 000011
【図１０】
2006311045.tif 000012
【図１１】
2006311045.tif 000013